(57)【要約】【課題】機器の操作用無線タグラベルを簡単に一括して作成することができるタグラベル作成装置及びタグ操作機器を提供する。【解決手段】情報を記憶するＩＣ回路部１５０とこのＩＣ回路部１５０に接続されるアンテナ１５１とを備えた無線タグ回路素子Ｔｏを配置したタグテープ３０３を搬送するための搬送装置３０９と、無線タグ回路素子Ｔｏとの間で無線通信により情報の送受信を行うアンテナ３０６と、プロジェクタ４００に所定の動作を行わせる操作コマンドに対応する情報を生成し、アンテナ３０６を介しＩＣ回路部１５０へ書き込む高周波回路３０１と、複数の操作コマンドに各々対応する複数の無線タグラベルＴ−１，Ｔ−２を一括して作成するように、搬送装置３０９及び高周波回路３０１を連携制御する制御回路３０２とを有する。【選択図】図２
2008090462.tif 000002
【特許請求の範囲】
【請求項１】
情報を記憶するＩＣ回路部とこのＩＣ回路部に接続されるタグ側アンテナとを備えた無線タグ回路素子を配置したタグ担持体を搬送するための搬送手段と、
前記無線タグ回路素子との間で無線通信により情報の送受信を行う通信手段と、
操作対象に所定の動作を行わせる操作コマンドに対応する情報を生成し、前記通信手段を介し前記ＩＣ回路部へ書き込む書き込み手段と、
複数の前記操作コマンドに各々対応する複数の無線タグラベルを一括して作成するように、前記搬送手段及び前記書き込み手段を連携制御する制御手段と
を有することを特徴とするタグラベル作成装置。
【請求項２】
請求項１記載のタグラベル作成装置において、
前記タグ担持体としてのタグテープを所定の長さに切断する切断手段を有し、
前記制御手段は、複数の前記操作コマンドに各々対応する複数の無線タグラベルを一括して作成するように、前記搬送手段、前記書き込み手段、及び前記切断手段を連携制御する
ことを特徴とするタグラベル作成装置。
【請求項３】
請求項１又は２記載のタグラベル作成装置において、
前記操作コマンドを入力する操作コマンド入力手段を有し、
前記書き込み手段は、前記操作コマンド入力手段で入力した操作コマンドに対応する情報を生成する
ことを特徴とするタグラベル作成装置。
【請求項４】
請求項３記載のタグラベル作成装置において、
前記搬送手段は、
前記無線タグ回路素子を取り付けるための基材層と、この基材層を貼り付け対象に貼り付けるための貼り付け用粘着剤層と、この貼り付け用粘着材層を覆う剥離材層とを備えた前記タグテープを搬送し、
前記タグテープのうち前記剥離材層以外の層を切断し第１半切断部位を形成するための半切断手段を設け、
前記一括して作成される複数の無線タグラベルのそれぞれが、前記半切断手段で形成した第１半切断部位において前記剥離材層を介し連結されている
ことを特徴とするタグラベル作成装置。
【請求項５】
請求項２乃至４のいずれか１項に記載のタグラベル作成装置において、
前記タグテープ又はこれに貼り合わされる被印字テープに備えられた第１印字領域に、前記操作コマンドに対応したコマンド印字を行う印字手段を有する
ことを特徴とするタグラベル作成装置。
【請求項６】
請求項５記載のタグラベル作成装置において、
前記操作コマンドに対応する印字情報を入力する印字情報入力手段を有し、
前記印字手段は、前記印字情報入力手段で入力した印字情報に対応するコマンド印字を行う
ことを特徴とするタグラベル作成装置。
【請求項７】
請求項６記載のタグラベル作成装置において、
前記一括して作成される無線タグラベルの数は２つであり、
前記２つの無線タグラベルのうち一方の無線タグラベルに備えられた前記第１印字領域に、他方の無線タグラベルの前記ＩＣ回路部に記憶された前記操作コマンドに対応した前記コマンド印字を行うように、前記印字手段を制御する第１印字制御手段を有する
ことを特徴とするタグラベル作成装置。
【請求項８】
請求項５乃至７のいずれか１項に記載のタグラベル作成装置において、
前記一括して作成される複数の無線タグラベルのそれぞれに備えられた第２印字領域に、一括作成された関連のある無線タグラベルであることを示す印字識別子を印字するように、前記印字手段を制御する第２印字制御手段を有する
ことを特徴とするタグラベル作成装置。
【請求項９】
請求項８記載のタグラベル作成装置において、
前記一括して作成される複数の無線タグラベルが、前記第１印字領域を備え、貼り付け対象に貼り付けられるラベル本体と、前記第２印字領域を備えた余白部分とから構成されており、
前記半切断手段は、
前記ラベル本体と前記余白部分とが前記剥離材層によって連結される第２半切断部位を形成する
ことを特徴とするタグラベル作成装置。
【請求項１０】
請求項２乃至９のいずれか１項記載のタグラベル作成装置において、
前記制御手段は、
設置面に対し自立する無線タグ構造体を構成するための少なくとも３つの前記無線タグラベルを一括して作成するように、前記搬送手段、前記書き込み手段、及び前記切断手段を連携制御する
ことを特徴とするタグラベル作成装置。
【請求項１１】
請求項１乃至１０のいずれか１項記載のタグラベル作成装置において、
前記書き込み手段は、前記操作コマンドとして、
各種機器における、電源オン・オフ操作、ログイン・ログアウト操作、ユーザ切り換え操作、操作者権限切り替え操作のうち少なくとも１つを生成し、前記ＩＣ回路部へ書き込む
ことを特徴とするタグラベル作成装置。
【請求項１２】
請求項１乃至１１のいずれか１項記載のタグラベル作成装置において、
前記書き込み手段は、前記操作対象が前記操作コマンドを実行するまでの待機時間に対応する情報を生成し、前記ＩＣ回路部へ書き込む
ことを特徴とするタグラベル作成装置。
【請求項１３】
請求項１乃至１２のいずれか１項記載のタグラベル作成装置において、
前記操作コマンドで所定の動作を行わせる操作対象を限定する操作対象限定情報を入力する操作対象限定情報入力手段を有し、
前記書き込み手段は、前記操作対象限定情報入力手段で入力した操作対象限定情報に基づき限定された操作対象に対する操作コマンドに対応する情報を生成し、前記通信手段を介し前記ＩＣ回路部へ書き込む
ことを特徴とするタグラベル作成装置。
【請求項１４】
無線タグ情報を用いて操作対象に所定の動作を行わせる無線タグ操作システムであって、
情報を記憶するＩＣ回路部とこのＩＣ回路部に接続されるタグ側アンテナとを備えた無線タグ回路素子の前記ＩＣ回路部に記憶された操作コマンドに対応する情報を読み取る無線タグ情報読み取り手段と、
前記無線タグ情報読み取り手段で読み取った操作コマンドの操作対象に関する判定を行うコマンド判定手段と、
前記コマンド判定手段の判定結果に応じて当該操作コマンドに対応する処理を行うコマンド実行手段と
を有することを特徴とする無線タグ操作システム。
【請求項１５】
請求項１４記載の無線タグ操作システムにおいて、
前記コマンド判定手段の判定結果に応じ、前記操作コマンドを他の装置に転送するコマンド転送手段を有する
ことを特徴とする無線タグ操作システム。
【発明の詳細な説明】
【技術分野】
【０００１】
本発明は、非接触で情報の読み取り／書き込みを行える無線タグラベルを作成するためのタグラベル作成装置、及び作成した無線タグラベルの無線タグ情報を用いて操作対象に所定の動作を行わせる無線タグ操作システムに関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
上記無線タグを用いた従来技術として、例えば特許文献１に記載のものがある。この従来技術では、シート状の電磁波シールド材の両面に無線タグ回路素子（非接触通信ＩＣユニット）をそれぞれ設けたＩＣシートが開示されており、ユーザが当該ＩＣシートのどちら側の面をリーダにかざすかによって、異なる機能を選択的に利用可能なようになっている。
【０００４】
【特許文献１】特開２００６−９１９６４号公報
【発明の開示】
【発明が解決しようとする課題】
【０００５】
上記従来技術では、シート状の電磁波シールド材の両面に無線タグ回路素子をそれぞれ設けることにより、ＩＣシートを構成する。このため、表面用の無線タグ回路素子と裏面用の無線タグ回路素子とに対し、別々に無線タグ情報を書き込んで無線タグを作成する必要があり、煩雑な操作や手間が必要であった。また、ＩＣシート使用時の利便性を考慮し、シート表面に対応する機能を裏面に表示し、且つシート裏面に対応する機能を表面に表示する場合には、それぞれの無線タグ作成時にさらに煩雑な操作や手間が必要となっていた。
【０００６】
本発明の目的は、操作対象を操作するための操作用無線タグラベルを簡単に一括して作成することができるタグラベル作成装置及び無線タグ操作システムを提供することにある。
【課題を解決するための手段】
【０００７】
上記目的を達成するために、第１の発明は、情報を記憶するＩＣ回路部とこのＩＣ回路部に接続されるタグ側アンテナとを備えた無線タグ回路素子を配置したタグ担持体を搬送するための搬送手段と、前記無線タグ回路素子との間で無線通信により情報の送受信を行う通信手段と、操作対象に所定の動作を行わせる操作コマンドに対応する情報を生成し、前記通信手段を介し前記ＩＣ回路部へ書き込む書き込み手段と、複数の前記操作コマンドに各々対応する複数の無線タグラベルを一括して作成するように、前記搬送手段及び前記書き込み手段を連携制御する制御手段とを有することを特徴とする。
【０００８】
本願第１発明においては、搬送手段によって無線タグ回路素子が配置されたタグ担持体が搬送され、書き込み手段で生成された操作コマンドに対応する情報が通信手段を介し無線タグ回路素子のＩＣ回路部に書き込まれて、複数の無線タグラベルが作成される。
【０００９】
このとき、それら複数の無線タグラベルのＩＣ回路部には、互いに異なる操作コマンドに対応する情報がそれぞれ書き込まれている。これにより、複数の無線タグラベルを操作対象である１つの機器において実行される複数の操作にそれぞれ対応させることで、当該機器の操作用無線タグラベル（複数個）を簡単に一度にまとめて作成することができる。
【００１０】
第２の発明は、上記第１発明において、前記タグ担持体としてのタグテープを所定の長さに切断する切断手段を有し、前記制御手段は、複数の前記操作コマンドに各々対応する複数の無線タグラベルを一括して作成するように、前記搬送手段、前記書き込み手段、及び前記切断手段を連携制御することを特徴とする。
【００１１】
本願第２発明においては、搬送手段によって無線タグ回路素子が配置されたタグテープが搬送され、書き込み手段で生成された操作コマンドに対応する情報が通信手段を介し無線タグ回路素子のＩＣ回路部に書き込まれ、タグテープが切断手段で所定長さに切断されて、複数の無線タグラベルがそれぞれ作成される。
【００１２】
このとき、制御手段の制御により、それら複数の無線タグラベルのＩＣ回路部には、互いに異なる操作コマンドに対応する情報がそれぞれ書き込まれている。これにより、複数の無線タグラベルを操作対象である１つの機器において実行される複数の操作にそれぞれ対応させることで、当該機器の操作用無線タグラベル（複数個）を簡単に一度にまとめて作成することができる。
【００１３】
第３の発明は、上記第１又は第２発明において、前記操作コマンドを入力する操作コマンド入力手段を有し、前記書き込み手段は、前記操作コマンド入力手段で入力した操作コマンドに対応する情報を生成することを特徴とする。
【００１４】
本願第３発明においては、例えば操作者が入力装置（ＰＣ等）を用いて操作（選択）入力した操作コマンドを操作コマンド入力手段で入力し、当該入力した操作コマンドに対応する情報を書き込み手段で生成するとともに通信手段を介し無線タグ回路素子のＩＣ回路部に書き込むことにより、無線タグラベルを作成する。これにより、操作者が所望する操作コマンドに対応する情報が書き込まれた無線タグラベルを作成することができる。
【００１５】
第４の発明は、上記第３発明において、前記搬送手段は、前記無線タグ回路素子を取り付けるための基材層と、この基材層を貼り付け対象に貼り付けるための貼り付け用粘着剤層と、この貼り付け用粘着材層を覆う剥離材層とを備えた前記タグテープを搬送し、前記タグテープのうち前記剥離材層以外の層を切断し第１半切断部位を形成するための半切断手段を設け、前記一括して作成される複数の無線タグラベルのそれぞれが、前記半切断手段で形成した第１半切断部位において前記剥離材層を介し連結されていることを特徴とする。
【００１６】
本願第４発明においては、半切断手段で剥離材層を残し他の層を切断（＝ハーフカット）し、第１半切断部位を形成する。これにより、一括して作成された複数の無線タグラベルにおいて、第１半切断部位を用いて各無線タグラベルを剥離材層からそれぞれ剥がしやすくすることができる。
【００１７】
第５の発明は、上記第２乃至第４発明のいずれかにおいて、前記タグテープ又はこれに貼り合わされる被印字テープに備えられた第１印字領域に、前記操作コマンドに対応したコマンド印字を行う印字手段を有することを特徴とする。
【００１８】
これにより、ＩＣ回路部に記憶された操作コマンドに対応した印字がなされた印字付き無線タグラベルを実現することができる。その結果、操作者は操作コマンドに対応した印字を視認しつつ一括作成された無線タグラベルの操作コマンド機能をそれぞれ用いることができ、利便性を向上することができる。
【００１９】
第６の発明は、上記第５発明において、前記操作コマンドに対応する印字情報を入力する印字情報入力手段を有し、前記印字手段は、前記印字情報入力手段で入力した印字情報に対応するコマンド印字を行うことを特徴とする。
【００２０】
本願第６発明においては、入力装置（ＰＣ等）からの操作コマンドに対応する印字情報を印字情報入力手段で入力し、印字手段で当該入力した印字情報に対応するコマンド印字を印字領域に行うことにより、印字付き無線タグラベルを作成する。これにより、操作者が所望の印字情報を入力装置から入力することによって、所望のコマンド印字が行われた無線タグラベルを作成することができる。
【００２１】
第７の発明は、上記第６発明において、前記一括して作成される無線タグラベルの数は２つであり、前記２つの無線タグラベルのうち一方の無線タグラベルに備えられた前記第１印字領域に、他方の無線タグラベルの前記ＩＣ回路部に記憶された前記操作コマンドに対応した前記コマンド印字を行うように、前記印字手段を制御する第１印字制御手段を有することを特徴とする。
【００２２】
本願第７発明においては、第１印字制御手段で印字手段を制御することにより、無線タグラベルのうち一方の無線タグラベルに備えられた第１印字領域に、他方の無線タグラベルのＩＣ回路部に記憶された操作コマンドに対応したコマンド印字を行う。これにより、例えばカードの表側と裏側に異なる操作コマンド１，２がそれぞれ記憶された無線タグラベルを添付したタグカードを形成し、このタグカードの表側又は裏側の無線タグラベルをリーダに読み取らせて操作コマンド１，２に対応する操作を操作対象に対し行うような場合に、タグカードの表側に操作コマンド１が記憶されると共に操作コマンド２に対応する印字が行われた無線タグラベルを添付し、タグカードの裏側に操作コマンド２が記憶されると共に操作コマンド１に対応する印字が行われた無線タグラベルを添付してタグカードを形成すれば、操作者はこれから実行しようとする操作コマンドに対応する印字を視認しつつ当該操作を行うことが可能となる。
【００２３】
第８の発明は、上記第５乃至第７発明のいずれかにおいて、前記一括して作成される複数の無線タグラベルのそれぞれに備えられた第２印字領域に、一括作成された関連のある無線タグラベルであることを示す印字識別子を印字するように、前記印字手段を制御する第２印字制御手段を有することを特徴とする。
【００２４】
これにより、例えば同一の操作対象（プロジェクタ等）に対する複数の操作コマンドをそれぞれ記憶させた複数の無線タグラベルを一括して作成する場合のように、複数の無線タグラベルが関連するタグラベルである場合に、そのことを明示することができる。
【００２５】
第９の発明は、上記第８発明において、前記一括して作成される複数の無線タグラベルが、前記第１印字領域を備え、貼り付け対象に貼り付けられるラベル本体と、前記第２印字領域を備えた余白部分とから構成されており、前記半切断手段は、前記ラベル本体と前記余白部分とが前記剥離材層によって連結される第２半切断部位を形成することを特徴とする。
【００２６】
これにより、第２半切断部位を用いて余白部分を除いたラベル本体のみを剥離材層から剥がすことができる。その結果、不要な余白部分を切除する手間が省け、必要部分であるラベル本体のみを使用することができる。
【００２７】
第１０の発明は、上記第２乃至第９発明のいずれかにおいて、前記制御手段は、設置面に対し自立する無線タグ構造体を構成するための少なくとも３つの前記無線タグラベルを一括して作成するように、前記搬送手段、前記書き込み手段、及び前記切断手段を連携制御することを特徴とする。
【００２８】
これにより、多面体等の多種多様な立体形状の無線タグ構造体を構成することが可能となる。その結果、多面体の各面に対し対応する操作コマンドが記憶されると共に対応する印字が行われた無線タグラベルをそれぞれ添付することで、操作対象に対し多種多様な操作を行うことが可能な無線タグ構造体を構成することが可能となる。
【００２９】
第１１の発明は、上記第１乃至第１０発明のいずれかにおいて、前記書き込み手段は、前記操作コマンドとして、各種機器における、電源オン・オフ操作、ログイン・ログアウト操作、ユーザ切り換え操作、操作者権限切り替え操作のうち少なくとも１つを生成し、前記ＩＣ回路部へ書き込むことを特徴とする。
【００３０】
これにより、各種機器における、電源オン・オフ操作、ログイン・ログアウト操作、ユーザ切り換え操作、操作者権限切り替え操作等の当該機器の操作用無線タグラベルを簡単に一度にまとめて作成することができる。
【００３１】
第１２の発明は、上記第１乃至第１１発明のいずれかにおいて、前記書き込み手段は、前記操作対象が前記操作コマンドを実行するまでの待機時間に対応する情報を生成し、前記ＩＣ回路部へ書き込むことを特徴とする。
【００３２】
これにより、例えば操作者が操作対象に対し誤った操作コマンドを指示してしまった場合に、当該誤った操作コマンドの待機時間の間に、正しい操作コマンドを実行させるように是正することが可能となる。
【００３３】
第１３の発明は、上記第１乃至第１２発明のいずれかにおいて、前記操作コマンドで所定の動作を行わせる操作対象を限定する操作対象限定情報を入力する操作対象限定情報入力手段を有し、前記書き込み手段は、前記操作対象限定情報入力手段で入力した操作対象限定情報に基づき限定された操作対象に対する操作コマンドに対応する情報を生成し、前記通信手段を介し前記ＩＣ回路部へ書き込むことを特徴とする。
【００３４】
これにより、例えばプロジェクタに対してのみ操作が有効である無線タグラベルや、会議室に設置してあるプロジェクタに対してのみ操作が有効な無線タグラベルといったように、操作対象を限定した無線タグラベルを作成することができる。
【００３５】
上記目的を達成するために、第１４の発明は、無線タグ情報を用いて操作対象に所定の動作を行わせる無線タグ操作システムであって、情報を記憶するＩＣ回路部とこのＩＣ回路部に接続されるタグ側アンテナとを備えた無線タグ回路素子の前記ＩＣ回路部に記憶された操作コマンドに対応する情報を読み取る無線タグ情報読み取り手段と、前記無線タグ情報読み取り手段で読み取った操作コマンドの操作対象に関する判定を行うコマンド判定手段と、前記コマンド判定手段の判定結果に応じて当該操作コマンドに対応する処理を行うコマンド実行手段とを有することを特徴とする。
【００３６】
本願第１４発明においては、タグラベル作成装置によって一括作成された操作用無線タグラベルに備えられた無線タグ回路素子のＩＣ回路部に、操作対象に所定の動作を行わせる操作コマンドに対応する情報が記憶保持されており、この無線タグ回路素子に対し無線タグ情報読み取り手段により無線タグ情報の読み取りを行い、操作コマンドを取得する。そして、コマンド判定手段でこの取得した操作コマンドの操作対象に関する判定を行い、この判定結果に応じてコマンド実行手段で操作コマンドに対応する処理を行う。
【００３７】
これにより、例えば操作対象が所定の装置（プロジェクタ）でない操作コマンドが所定の装置（プロジェクタ又はこのプロジェクタを操作可能なＰＣを含む）に入力された場合に、当該操作コマンドを実行しないようにすることが可能となる。したがって、他の機器に対する操作コマンドによる誤動作を防止できる。その結果、無線タグ情報を用いて操作対象に所定の動作を行わせる無線タグ操作システムの動作信頼性を向上できるので、上述したタグラベル作成装置による操作用無線タグラベルの一括作成を可能とすることができる。
【００３８】
第１５の発明は、上記第１４発明において、前記コマンド判定手段の判定結果に応じ、前記操作コマンドを他の装置に転送するコマンド転送手段を有することを特徴とする。
【００３９】
本願第１５発明においては、コマンド判定手段の判定結果に応じて、コマンド転送手段で操作コマンドを他の装置に転送する。これにより、例えば操作対象が第１会議室のプロジェクタである操作コマンドを、第２会議室のプロジェクタに接続されたＰＣ２に対して出力したような場合であっても、当該操作コマンドをＰＣ２から例えば社内ネットワークを介して第１会議室のプロジェクタに接続されたＰＣ１に転送し、当該ＰＣ１により第１会議室のプロジェクタに対し所望を動作を行わせることが可能となる。
【発明の効果】
【００４０】
本発明によれば、機器の操作用無線タグラベルを簡単に一括して作成することができる。
【発明を実施するための最良の形態】
【００４１】
以下、本発明の一実施の形態を図面を参照しつつ説明する。
【００４２】
図１は、本実施形態のタグラベル作成装置３００を含む操作タグ生成システム全体を表すシステム構成図である。
【００４３】
図１に示す操作タグ生成システム１０は、情報を記憶するＩＣ回路部１５０とこのＩＣ回路部１５０に接続されるアンテナ１５１とを備えた無線タグ回路素子Ｔo（後述の図９参照）を有する複数の無線タグラベルから構成され、操作対象である機器（例えばプロジェクタ等）に対し所定の動作を行わせるための操作タグ１（後述の図８参照）を作成するためのタグラベル体Ｔ（後述の図５参照）を作成する上記タグラベル作成装置３００と、このタグラベル作成装置３００と例えばＵＳＢケーブル等の接続手段２を介して接続され、表示部１０１及び操作部１０２等を有するＰＣ端末（パーソナルコンピュータ端末。以下、「ＰＣ」と記載）１００とを備えている。
【００４４】
図２は、上記操作タグ生成システム１０を構成するＰＣ１００及びタグラベル作成装置３００の詳細機能を表す機能ブロック図である。
【００４５】
この図２において、ＰＣ１００は、各種入力画面等の所定の表示を行うための上記表示部１０１と、操作者が操作入力を行うための適宜のボタン、キー、マウス等を備えた上記操作部１０２と、各種アプリケーションや電子ファイル等のデータが格納されるハードディスク等の記憶手段１０３と、上記タグラベル作成装置３００との間で接続手段２を介して行われる通信の制御を行う通信制御部１０４と、これら表示部１０１、操作部１０２、記憶手段１０３及び通信制御部１０４を含むＰＣ１００全体の動作を制御する制御回路１０５とを有する。
【００４６】
一方、タグラベル作成装置３００は、所定間隔で無線タグ回路素子Ｔoが備えられたタグテープ３０３（タグ担持体）を巻回したタグテープロール３０４を着脱可能な（又はタグテープロール３０４を備えたカートリッジを着脱可能な）タグテープロールホルダ部３１０と、このタグテープロール３０４から繰り出されたタグテープ３０３のうち上記無線タグ回路素子Ｔoに対応した印字領域Ｓ（後述の図５参照）に所定の印字を行う印字ヘッド３０５（印字手段）と、無線タグ回路素子Ｔoとの間で無線通信により情報の送受信を行うアンテナ３０６（通信手段）と、高周波回路３０１（書き込み手段）及び制御回路３０２（制御手段）と、上記ＰＣ１００との間で接続手段２を介して行われる通信の制御を行う通信制御部３０８と、タグテープ３０３への印字及び無線タグ回路素子Ｔoへの上記情報書き込みが終了したタグテープ３０３を所定の長さに切断して複数の無線タグラベルからなるタグラベル体Ｔとするカッタ３０７（切断手段）と、剥離紙３０３ａ以外の層（ベースフィルム３０３ｃ及び粘着層３０３ｂ。図２中部分拡大図参照）を幅方向に切断するハーフカットを行うハーフカッタ３１１（半切断手段）と、印字ヘッド３０５に対向して設けられ、制御回路３０２により制御されてタグテープロール３０４を搬送する搬送装置３０９（搬送手段）とを有する。
【００４７】
上記タグテープ３０３は、ベースフィルム３０３ｃ側（図２中上側）よりその反対側（図２中下側）へ向かって、ベースフィルム３０３ｃ（基材層）、粘着層３０３ｂ（貼り付け用粘着剤層）、及び剥離紙３０３ａ（剥離材層）からなる３層構造を有している。そして、情報を記憶するＩＣ回路部１５０とこのＩＣ回路部１５０に接続されるアンテナ１５１（タグ側アンテナ）とを備えた上記無線タグ回路素子Ｔoは、上記ベースフィルム３０３ｃの裏側（図２中下側）に設けられている（後述の図５参照）。なお、上記ベースフィルム１０１ｃの表面には加熱により発色する感熱剤が塗布されており、印字ヘッド３０５の印字素子が加熱することによってベースフィルム３０３ｃの表面に印字Ｒ（後述の図５参照）が印刷される。
【００４８】
高周波回路３０１及び制御回路３０２は、無線タグ回路素子ＴoのＩＣ回路部１５０へのアクセス情報を生成し、アンテナ３０６を介して無線タグ回路素子Ｔoへ送信し、無線タグ回路素子ＴoのＩＣ回路部１５０へ情報書き込みを行う。また制御回路３０２は上記接続手段２を介してＰＣ１００と接続されており、このＰＣ１００と情報の送受が可能となっている。
【００４９】
このような構成において、上記タグラベル作成装置３００でタグラベル体Ｔを作成する際には、操作者はＰＣ１００の上記操作部１０２を用いて操作タグ１の操作対象である機器及びこの機器に行わせる動作に対応する操作コマンドの設定入力を行うと共に、タグラベル体Ｔの作成指示入力を行う。これにより、ＰＣ１００において操作タグ１の表面用及び裏面用のタグデータ及び印刷データがそれぞれ作成され、これらのデータが接続手段２を介してタグラベル作成装置３００に送信される。その結果、タグラベル作成装置３００の制御回路３０２の制御により、上記印刷データに基づいた印字ヘッド３０５による表面・裏面の印字がそれぞれ行われると共に、高周波回路３０１により操作コマンドに対応するアクセス情報が生成され装置側アンテナ３０６を介して表面・裏面に対応する無線タグ回路素子Ｔoへそれぞれ送信される。これにより、表面・裏面に対応する無線タグ回路素子ＴoのＩＣ回路部１５０へ上記操作コマンドに対応する情報の書き込みがそれぞれ行われ、タグラベル体Ｔが作成される。
【００５０】
図３は、上記操作機器及び操作コマンドの設定入力時にＰＣ１００の制御回路１０５によって実行される制御手順を表すフローチャートである。なお、制御回路１０５は、操作者により適宜の操作タグ１（タグラベル体Ｔ）の作成指示入力があった場合に本フローを開始する。
【００５１】
図３において、まずステップＳ１０では、表示部１０１に制御信号を出力し、上記操作タグ１の操作対象である機器及びこの機器に行わせる動作に対応する操作コマンドの入力画面を表示させて、操作者に入力を促す。これらのタグ操作機器及び操作コマンドの入力は、例えばＰＣに対するログイン・ログアウト操作又はユーザ切り換え操作や、プロジェクタに対する（複数の画像からなる）投影画像の移動操作等の予め定められたフォーマットが複数用意されており、それらフォーマットの中から操作者が操作部１０２を介して選択入力することにより行われる。
【００５２】
なお、以下、操作対象である機器としてプロジェクタ４００（後述の図１１参照）、操作コマンドとして当該プロジェクタ４００の（複数のスライドから構成される）投影画像を次のスライドに移す「進む」コマンドと投影画像を前のスライドに戻す「戻る」コマンドの２つの操作コマンドが入力される場合を例にとって説明する。
【００５３】
次のステップＳ２０では、上記操作機器・操作コマンド設定画面に応じて、操作者が操作部１０２を用いてコマンド情報を入力したかどうかを判定する。コマンド情報の入力があった場合には、判定が満たされ次のステップＳ３０に移る。
【００５４】
ステップＳ３０では、上記ステップＳ２０で入力された２つのコマンド（「進む」「戻る」コマンド）のうちの一方を選択し、当該コマンドに基づき、操作タグ１の表面に添付される無線タグ回路素子Ｔoに書き込むための表面用タグデータを作成する。ここでは、「進む」コマンドを表面用のコマンドとして選択するものとする。
【００５５】
次のステップＳ４０では、上記ステップＳ３０で作成した表面用タグデータに基づき、操作タグ１の裏面に添付される無線タグラベルＴに印字される印刷データを作成する。ここでは、上記「進む」コマンドに対応させて、例えば「進む」というテキストからなる印刷データを作成する。
【００５６】
次のステップＳ５０では、上記ステップＳ２０で入力された２つのコマンド（「進む」「戻る」コマンド）のうちの他方を選択し、当該コマンドに基づき、操作タグ１の裏面に添付される無線タグ回路素子Ｔoに書き込むための裏面用タグデータを作成する。ここでは、「戻る」コマンドを裏面用のコマンドとして選択するものとする。
【００５７】
次のステップＳ６０では、上記ステップＳ５０で作成した裏面用タグデータに基づき、操作タグ１の表面に添付される無線タグラベルＴに印字される印刷データを作成する。ここでは、上記「戻る」コマンドに対応させて、例えば「戻る」という文字からなる印刷データを作成する。
【００５８】
次のステップＳ７０では、表示部１０１に制御信号を出力し、操作タグ１（タグラベル体Ｔ）を作成するか否かの最終的な確認画面を表示させて、操作者にタグ作成指示の入力を促す。
【００５９】
次のステップＳ８０では、上記確認画面に応じて、操作者が操作部１０２を用いて操作タグ１（タグラベル体Ｔ）の作成指示入力を行ったかどうかを判定する。作成指示の入力があった場合には、判定が満たされ次のステップＳ９０に移る。
【００６０】
ステップＳ９０では、通信制御部１０４及び接続手段２を介してタグラベル作成装置３００の制御回路３０２に対し、上記作成した表面・裏面にそれぞれ対応したタグデータ及び印刷データを送信する。そして、このフローを終了する。
【００６１】
なお、上記フローでは特に説明しなかったが、各入力画面等において操作者によるキャンセル操作ができるようにしてもよい。また、上記ではタグ操作機器及び操作コマンドを予め定められたフォーマットから選択するようにしたが、これに限られず、操作者が任意のタグ操作機器及び操作コマンドについて設定入力できるようにしてもよい。さらに、上記ではタグデータに基づき印刷データを自動的に作成するようにしたが、これに限られず、操作者が任意の印刷データを手動入力により設定できるようにしてもよい。
【００６２】
図４は、操作タグ１（タグラベル体Ｔ）の作成時にタグラベル作成装置３００の制御回路３０２によって実行される制御手順を表すフローチャートである。なお、制御回路３０２は、上記ステップＳ９０においてＰＣ１００の制御回路１０５から送信されたタグデータ及び印刷データを受信した際にこのフローを開始する。
【００６３】
まずステップＳ１１０において、ＰＣ１００からの受信データに基づき、操作タグ１の表面・裏面にそれぞれ対応したタグデータ及び印刷データを取得する。
【００６４】
次のステップＳ１２０では、高周波回路３０１によりアクセス情報を生成して装置側アンテナ３０６を介して操作タグ１の表面に対応する無線タグ回路素子Ｔoへ送信し、ＩＣ回路部１５０へ上記ステップＳ１１０で取得したタグデータ（上記「進む」コマンドに対応する情報を含む）の書き込みを行う。また、上記ステップＳ１１０で取得した印刷データ（この例では「戻る」という文字データ）に基づき、操作タグ１の表面に対応する印字領域Ｓ１（第１印字領域。後述の図５参照）に対し印字ヘッド３０５による印字を行う。
【００６５】
次のステップＳ１３０では、上記表面に対応する無線タグラベルＴの作成が成功したか否か、言い換えれば無線タグ回路素子Ｔoへのタグデータの書き込みが成功したか否かを判定する。具体的には、上記無線タグ回路素子Ｔoに対し「Verify」信号を送信し、これに対応して無線タグ回路素子Ｔoから受信したリプライ信号に基づき、当該無線タグ回路素子Ｔoのメモリ部１５０内に記憶された情報を確認し、公知の誤り検出符号（ＣＲＣ符号；Cyclic Redundancy Check等）を用いて上記操作コマンドに対応する情報がメモリ部１５０に正常に記憶されたか否かを判定する。タグラベル作成が成功している場合には、判定が満たされて次のステップＳ１４０に移る。
【００６６】
ステップＳ１４０では、図示しない駆動回路に制御信号を出力することによりハーフカッタ３１１を駆動させ、タグテープ３０３の剥離紙３０３ａ以外の層（粘着層３０３ｂ及びベースフィルム３０３ｃ）を幅方向に切断するハーフカットを行う。
【００６７】
次のステップＳ１５０では、高周波回路３０１によりアクセス情報を生成して装置側アンテナ３０６を介して操作タグ１の裏面に対応する無線タグ回路素子Ｔoへ送信し、ＩＣ回路部１５０へ上記ステップＳ１１０で取得したタグデータ（上記「戻る」コマンドに対応する情報を含む）の書き込みを行う。また、上記ステップＳ１１０で取得した印刷データ（この例では「進む」というテキストデータ）に基づき、操作タグ１の裏面に対応する印字領域Ｓ２（第１印字領域。後述の図５参照）に対し印字ヘッド３０５による印字を行う。
【００６８】
次のステップＳ１６０では、上記裏面に対応する無線タグラベルＴの作成が成功したか否かを、上記ステップＳ１３０と同様にして判定する。タグラベル作成が成功している場合には、判定が満たされて次のステップＳ１７０に移る。
【００６９】
ステップＳ１７０では、図示しない駆動回路に制御信号を出力することによりカッタ３０７を駆動させ、テープ切断を行って複数（本例では２つ）の無線タグラベルＴ（無線タグ回路素子Ｔo）を備えたタグラベル体Ｔを作成し、このフローを終了する。
【００７０】
なお、上記ステップ１３０又はステップＳ１６０において、表面又は裏面に対応する無線タグラベルＴの作成が成功していない場合には、判定が満たされずにそれぞれステップ１８０に移る。このステップ１８０では、エラー表示信号を通信制御部３０８及び接続手段２を介し上記ＰＣ１００の制御回路１０５へ出力し、表示部１０１に対応する失敗表示（例えば「タグ作成が正常に終了しませんでした」等）を行わせる。そして、このフローを終了する。
【００７１】
図５（ａ）及び図５（ｂ）は、上述のようにして操作タグ１の表面・裏面のそれぞれに対応する無線タグ回路素子Ｔoへの情報書き込み・印字及びタグテープ３０３の切断が完了し形成されたタグラベル体Ｔの外観の一例を表す図であり、図５（ａ）は上面図、図５（ｂ）は図５（ａ）中下方向から見たその側面図である。また図６は、図５（ａ）中VI−VI′断面による横断面図である。
【００７２】
これら図５（ａ）、図５（ｂ）、及び図６において、タグラベル体Ｔは、操作タグ１の表面に対応する無線タグラベルＴ−１と裏面に対応する無線タグラベルＴ−２との２つの無線タグラベルを有しており、前述したように、ベースフィルム３０３ｃ側（図５中上側）よりその反対側（図５中下側）へ向かって、ベースフィルム３０３ｃ、粘着層３０３ｂ、及び剥離紙３０３ａの３層によって構成されている。そして、無線タグラベルＴ−１、Ｔ−２においては、ベースフィルム３０３ｃの裏側に設けたアンテナ１５１及びベースフィルム３０３ｃあるいは粘着層３０３ｂ内（図ではベースフィルム３０３ｃ内）に設けたＩＣ回路部１５０を備え上記操作コマンドに対応する情報を書き込み済の無線タグ回路素子Ｔoが、幅方向一方側（図５中下側）にそれぞれ偏在配置されているとともに、ベースフィルム３０３ｃの表面の印字領域Ｓ１，Ｓ２に印字ヘッド３０５によって印字Ｒ（この例では「戻る」「進む」の文字）がそれぞれ印刷されている。
【００７３】
上記無線タグラベルＴ−１と無線タグラベルＴ−２との間には、前述したハーフカッタ３１１により剥離紙３０３ａ以外の層（ベースフィルム３０３ｃ及び粘着層３０３ｂ）が切断されることによってハーフカット線ＨＣ（第１半切断部位）が形成されており、これによりタグラベル体Ｔは、無線タグラベルＴ−１，Ｔ−２が上記ハーフカット線ＨＣの位置において剥離紙３０３ａを介し連結された構成となっている。
【００７４】
図７（ａ）〜（ｃ）は、タグラベル作成装置３００で作成した上記タグラベル体Ｔを構成する無線タグラベルＴ−１、Ｔ−２を用いて操作タグ１を作成する手順を表した図である。
【００７５】
まず図７（ａ）に示すように、タグラベル作成装置３００で作成したタグラベル体Ｔにおいて、ハーフカット線ＨＣを利用して各無線タグラベルＴ−１、Ｔ−２（正確には各無線タグラベルＴ−１、Ｔ−２の剥離紙３０３ａ以外であるベースフィルム３０３ｃ及び粘着層３０３ｂ部分）を剥離紙３０３ａから剥がす。
【００７６】
そして、図７（ｂ）及び図７（ｃ）に示すように、プラスチック等の絶縁体から構成され略四角薄板形状に形成された基材２５０に対し、その一方側の面（こちらが表面となる）に無線タグラベルＴ−１を添付し、その他方側の面（こちらが裏面となる）に無線タグラベルＴ−２を添付して、操作タグ１を作成する。なお、上記基材２５０を絶縁体で構成することにより、後述するリーダ２００のアンテナ２１０と各無線タグラベルＴ−１、Ｔ−２の無線タグ回路素子Ｔoとの間で無線通信を行う際に、干渉して通信に影響を及ぼすのを抑制できるようになっている。
【００７７】
図８（ａ）及び図８（ｂ）は、上記のようにして作成された操作タグ１の全体概略構造の一例を表す上面図及び下面図である。
【００７８】
これら図８（ａ）及び図８（ｂ）において、操作タグ１はカード状に形成されており、略四角薄板形状の上記基材２５０と、この基材２５０の表面に添付され、「戻る」の文字が印刷された無線タグラベルＴ−１と、この基材２５０の裏面に添付され、「進む」の文字が印刷された無線タグラベルＴ−２とから構成されている。
【００７９】
図９は、上記無線タグラベルＴ−１、Ｔ−２に備えられた無線タグ回路素子Ｔoの機能的構成の一例を表すブロック図である。
【００８０】
図９において、無線タグ回路素子Ｔoは、上記タグカード製造装置３００のアンテナ３０６や後述する無線タグ回路素子Ｔoの読み取り機能を備えたリーダ２００のアンテナ２１０と短波帯(例えば13.56MHz)、ＵＨＦ帯、又はマイクロ波帯等の高周波を用いて非接触で信号の送受信を行うアンテナ１５１(タグ側アンテナ)と、このアンテナ１５１に接続されたＩＣ回路部１５０とを有している。
【００８１】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００８２】
変復調部１５６は、アンテナ１５１により受信された上記タグラベル作成装置３００のアンテナ３０６やリーダ２００のアンテナ２１０からの通信信号の復調を行うと共に、上記制御部１５７からの返信信号に基づき、上記アンテナ３０６，２１０より受信された搬送波を変調反射する。
【００８３】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００８４】
図１０は、タグラベル作成装置３００で作成されたタグラベル体Ｔを構成する無線タグラベルＴ−１、Ｔ−２において、無線タグ回路素子ＴoのＩＣ回路部１５０の上記メモリ部１５５のデータ構成の一例を表す図である。
【００８５】
この図１０に示す例では、無線タグ回路素子ＴoのＩＣ回路部１５０の上記メモリ部１５５に記憶されるデータは、無線タグ回路素子Ｔoの固有の識別情報であるタグＩＤと、操作対象である機器（ここではプロジェクタ４００）に対し所定の動作を行わせる操作コマンドに対応する情報と、これらのデータの有効性を示す誤り検出符号ＣＲＣ（Cyclic Redundancy Check）とから構成されている。
【００８６】
図１１は、本実施形態のリーダ２００を含む無線タグ操作システム全体を表すシステム構成図である。
【００８７】
図１１に示す無線タグ操作システム１１は、上記タグラベル作成装置３００で作成した操作タグ１から無線通信により情報の読み取りを行うためのアンテナ２１０を有する上記リーダ２００（無線タグ情報読み取り手段）と、このリーダ２００と例えばＵＳＢケーブル等の接続手段３を介して接続され、表示部１０１及び操作部１０２等を有する上記ＰＣ１００と、このＰＣ１００と例えばＵＳＢケーブル等の接続手段４を介して接続され、ＰＣ１００から出力された画像データを投影するプロジェクタ４００とを備えている。
【００８８】
図１２は、上記無線タグ操作システム１１を構成するＰＣ１００、リーダ２００、及びプロジェクタ４００の詳細機能を表す機能ブロック図である。この図１２において、リーダ２００は、上記操作タグ１に備えられる無線タグラベルＴ−１又は無線タグラベルＴ−２の無線タグ回路素子Ｔoのアンテナ１５１との間で無線通信により信号の授受を行う上記アンテナ２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ２００全体の動作を制御する制御回路２０２と、操作者が操作可能な適宜のボタン、キー等を備えた操作部２０３と、上記ＰＣ１００との間で接続手段３を介して行われる通信の制御を行う通信制御部２０４とを有する。
【００８９】
一方、プロジェクタ４００は、被投影対象（例えばスクリーン等）に投影物（例えば画像データ等）の投影を行う投影駆動部４０１と、操作者が各種操作可能な操作部４０２と、上記ＰＣ１００との通信データ・各種信号の送受の制御を行う通信制御部４０３と、これら投影駆動部４０１、操作部４０２、及び通信制御部４０３に接続されプロジェクタ４００全体の動作制御を行う投影制御部４０４とを有する。
【００９０】
上記投影制御部４０４は、例えば、図示しないＣＰＵ、ＲＡＭ、ＲＯＭ等を備えており、操作部１０２、通信制御部１０３、スキャナ部２００からの信号を入力して所定の演算処理を行い、投影駆動部１０１への投影制御信号等を出力する。
【００９１】
上記プロジェクタ４００による投影は、ＰＣ１００の制御回路１０５により画像データ等の投影物が記憶手段１０３から読み出されるとともに、適宜のアプリケーションが起動されて当該読み出した画像データが開かれ、この画像データが通信制御部１０４及び接続手段４を介してプロジェクタ４００の投影制御部４０４に出力されることによって行われる。なおこのとき、当該投影している画像データをＰＣ１００の表示部１０１で表示するようにしてもよい。
【００９２】
このような構成において、プロジェクタ４００で投影されている（複数のスライドから構成される）投影画像を次のスライド画像に進める際には、操作タグ１の表面をリーダ２００側に近接させる（操作者側には「進む」が印刷された裏面が相対する）。これにより、操作タグ１の表面に添付された無線タグラベルＴ−１の無線タグ回路素子Ｔoに記憶された操作コマンド情報がリーダ２００からＰＣ１００側に取得され、ＰＣ１００の制御回路１０５によって上記取得した操作コマンドに基づいて次のスライドが開かれるとともに、当該スライドの画像データがプロジェクタ４００に出力される。その結果、プロジェクタ４００で次のスライドが投影される。
【００９３】
一方、プロジェクタ４００で投影されている投影画像を前のスライド画像に戻す際には、操作タグ１の裏面をリーダ２００側に近接させる（操作者側には「戻る」が印刷された表面が相対する）。これにより、操作タグ１の裏面に添付された無線タグラベルＴ−２の無線タグ回路素子Ｔoに記憶された操作コマンド情報がリーダ２００からＰＣ１００側に取得され、ＰＣ１００の制御回路１０５によって上記取得した操作コマンドに基づいて前のスライドが開かれるとともに、当該スライドの画像データがプロジェクタ４００に出力される。その結果、プロジェクタ４００で前のスライドが投影される。
【００９４】
図１３は、上記操作タグ１の無線タグ情報の読み取り時にＰＣ１００の制御回路１０５によって実行される制御手順を表すフローチャートである。なお、制御回路１０５は、プロジェクタ４００で画像データの投影を行っている間、すなわち適宜のアプリケーションを起動して複数のスライドからなる画像データを開くと共に、この画像データを通信制御部１０４及び接続手段４を介してプロジェクタ４００の投影制御部４０４に出力している間は、常時このフローを繰り返すようになっている。
【００９５】
まずステップＳ２１０において、通信制御部１０４及び接続手段３を介してリーダ２００の制御回路２０２に対し、操作タグ１の無線タグ情報を読み取るためのタグ読み取り指示信号を送信する。
【００９６】
次のステップＳ２２０では、上記タグ読み取り指示信号を受信したリーダ２００が操作タグ１の無線タグラベルＴ−１又は無線タグラベルＴ−２の無線タグ回路素子Ｔoに対し記憶された情報を読み取るための信号を送信し、これに対応して無線タグ回路素子Ｔoから送信（返信）されたリプライ信号が、リーダ２００から接続手段３を介して受信されたか否かを判定する。リーダ２００からリプライ信号が受信されていなければ判定が満たされず、本ステップを繰り返す。リプライ信号が受信されたら判定が満たされ、次のステップＳ２３０へ移る。
【００９７】
ステップＳ２３０では、上記リーダ２００から受信されたリプライ信号の中から、上記操作コマンドに対応する情報を読み出して取得する。なお、この読み出した情報は適宜の記憶手段（例えば制御回路１０５が有するメモリ等）に一時的に記憶される。
【００９８】
次に、ステップＳ２４０では、上記ステップＳ２３０で取得した操作コマンドに基づき、記憶手段１０３から対応するスライド（次のスライド又は前のスライド）を読み出し、開く。
【００９９】
次のステップＳ２５０では、上記ステップＳ２４０で開いたスライドの画像データを、通信制御部１０４及び接続手段４を介してプロジェクタ４００に出力する。これにより、プロジェクタ４００では当該スライドの投影が行われる。そして本フローを終了する。
【０１００】
以上において、タグラベル作成装置３００の制御回路３０２により実行されるステップ１１０の制御手順は、特許請求の範囲各項記載の操作コマンドを入力する操作コマンド入力手段に相当するとともに、操作コマンドに対応する印字情報を入力する印字情報入力手段に相当する。また、制御回路３０２により実行されるステップＳ１２０及びステップＳ１５０は、印字手段を制御する第１印字制御手段に相当する。
【０１０１】
以上のように構成した本実施形態のタグラベル作成装置３００においては、搬送装置３０９によって無線タグ回路素子Ｔoが配置されたタグテープ３０３が搬送され、高周波回路３０１で生成された操作コマンドに対応する情報がアンテナ３０６を介し無線タグ回路素子ＴoのＩＣ回路部１５０に書き込まれて、複数の無線タグラベルからなるタグラベル体Ｔが作成される。
【０１０２】
このとき、それら複数の無線タグラベルのＩＣ回路部１５０には、互いに異なる操作コマンドに対応する情報がそれぞれ書き込まれている。これにより、複数の無線タグラベルを操作対象である１つの機器（本例ではプロジェクタ）において実行される複数の操作にそれぞれ対応させることで、当該機器操作用の複数の無線タグラベルからなるタグラベル体Ｔを簡単に一度にまとめて作成することができる。
【０１０３】
また、本実施形態では特に、操作者がＰＣ１００の操作部１０２を用いて入力した操作コマンドに対応する情報を無線タグ回路素子ＴoのＩＣ回路部１５０に書き込むことにより、タグラベル体Ｔを作成する。これにより、操作者が所望する操作コマンドに対応する情報が書き込まれたタグラベル体Ｔを作成することができる。
【０１０４】
また、本実施形態では特に、ハーフカッタ３１１で剥離紙３０３ａを残し他の層をハーフカットし、ハーフカット線ＨＣを形成する。これにより、タグラベル作成装置３００で作成されたタグラベル体Ｔを構成する無線タグラベルＴ−１，Ｔ−２において、前述の図７（ａ）に示すようにハーフカット線ＨＣを用いて各無線タグラベルＴ−１，Ｔ−２を剥離紙３０３ａからそれぞれ剥がしやすくすることができる。
【０１０５】
また、本実施形態では特に、タグテープ３０３における無線タグ回路素子Ｔoに対応する印字領域Ｓ１，Ｓ２に、印字ヘッド３０５で操作コマンドに対応したコマンド印字を行う。これにより、無線タグ回路素子Ｔoに記憶された操作コマンドに対応した印字がなされた印字付き無線タグラベルＴ−１，Ｔ−２を実現することができる。その結果、操作者は操作コマンドに対応した印字を視認しつつ、一括作成された無線タグラベルＴ−１，Ｔ−２の操作コマンド機能をそれぞれ用いることができ、利便性を向上することができる。
【０１０６】
また、本実施形態では特に、操作タグ１の表側に添付する無線タグラベルＴ−１に備えられた印字領域Ｓ１に、操作タグ１の裏側に添付する無線タグラベルＴ−２のＩＣ回路部１５０に記憶された操作コマンドに対応したコマンド印字を行うとともに、操作タグ１の裏側に添付する無線タグラベルＴ−２に備えられた印字領域Ｓ２に、操作タグ１の表側に添付する無線タグラベルＴ−１のＩＣ回路部１５０に記憶された操作コマンドに対応したコマンド印字を行う。これにより、操作者はこれから実行しようとする操作コマンドに対応する印字を視認しつつ当該操作を行うことができる。
【０１０７】
なお、本発明は、上記実施形態に限られるものではなく、その趣旨及び技術思想を逸脱しない範囲で種々の変形が可能である。以下、そのような変形例を順を追って説明する。
【０１０８】
（１）余白部分に１セットのタグであることを印刷する場合
上記実施形態では、タグラベル体Ｔを構成する無線タグラベルＴ−１，Ｔ−２に操作コマンドに関連する印刷しか行わなかったが、これに限られない。すなわち、それら複数の無線タグラベルが、一括作成された関連のある無線タグラベルである（言い換えれば同じ操作タグを作成するために用いられる無線タグラベルである）旨を印刷するようにしてもよい。なお、以下説明する変形例は、各無線タグラベルにおいてハーフカットを行うことで余白部分を生成し、当該余白部分に上記印刷を行うことで、操作コマンドに関連する印刷が行われたラベル本体のみで操作タグ１を構成できるようにしたものである。
【０１０９】
図１４は、本変形例のＰＣ１００の制御回路１０５Ａ（図示せず）によって実行される制御手順を表すフローチャートであり、前述の図３に対応する図である。図３と同様の手順には同符号を付し説明を省略する。
【０１１０】
この図１４において、ステップＳ１０〜ステップＳ３０は前述の図３と同様である。そして、次のステップＳ４０Ａでは、ステップＳ３０で作成した表面用タグデータに基づき、操作タグ１の裏面に添付される無線タグラベルＴに印字される印刷データを作成するとともに、本変形例のタグラベル体ＴＡを構成する無線タグラベルＴ−１Ａ，Ｔ−２Ａが一括作成された関連のある無線タグラベルである旨の表示（この例では無線タグラベルＴ−１Ａがタグラベル体ＴＡを構成する２枚の無線タグラベルのうち１枚目であることを表す「１／２」。後述の図１６参照）を行う余白印刷データを作成する。
【０１１１】
次のステップＳ５０は前述の図３と同様であり、裏面用のタグデータを作成する。そして次のステップＳ６０Ａでは、上記ステップＳ４０Ａと同様に、ステップＳ５０で作成した裏面用タグデータに基づき、操作タグ１の表面に添付される無線タグラベルＴに印字される印刷データを作成するとともに、本変形例のタグラベル体ＴＡを構成する無線タグラベルＴ−１Ａ，Ｔ−２Ａが一括作成された関連のある無線タグラベルである旨の表示（この例では無線タグラベルＴ−２Ａがタグラベル体ＴＡを構成する２枚の無線タグラベルのうち２枚目であることを表す「２／２」。後述の図１６参照）を行う余白印刷データを作成する。この後のステップＳ７０〜ステップＳ９０は前述の図３と同様であるので説明を省略する。
【０１１２】
図１５は、本変形例のタグラベル作成装置３００の制御回路３０２Ａ（図示せず）によって実行される制御手順を表すフローチャートであり、前述の図４に対応する図である。図４と同様の手順には同符号を付し説明を省略する。
【０１１３】
この図１５において、ステップＳ１１０は前述の図４と同様であり、ＰＣ１００からの受信データに基づき、操作タグ１の表面・裏面にそれぞれ対応したタグデータ及び印刷データ（余白印刷データを含む）を取得する。
【０１１４】
次のステップＳ１１３では、上記ステップＳ１１０で取得した余白印刷データ（この例では「１／２」という文字データ）に基づき、操作タグ１の表面に対応する印字領域Ｓ３（第２印字領域。後述の図１６参照）に対し印字ヘッド３０５による印字を行う。
【０１１５】
次のステップＳ１１５では、タグラベル体ＴＡを構成する無線タグラベルＴ−１Ａにおいて、ラベル本体７１と余白部分７２（後述の図１６参照）とを分離するために、タグテープ３０３の剥離紙３０３ａ以外の層（粘着層３０３ｂ及びベースフィルム３０３ｃ）を幅方向に切断するハーフカットを行う。
【０１１６】
次のステップＳ１２０〜ステップＳ１４０は前述の図４と同様であり、無線タグラベルＴ−１Ａに対応する無線タグ回路素子Ｔoに対しタグデータの書き込みを行うと共に印字領域Ｓ１に対し印字ヘッド３０５による印字を行い、タグラベル作成が成功している場合には、無線タグラベルＴ−１Ａ，Ｔ−２Ａを分離するためのハーフカットを行う。
【０１１７】
次のステップＳ１４３では、上記ステップＳ１１０で取得した余白印刷データ（この例では「２／２」という文字データ）に基づき、操作タグ１の裏面に対応する印字領域Ｓ４（第２印字領域。後述の図１６参照）に対し印字ヘッド３０５による印字を行う。
【０１１８】
次のステップＳ１４５では、タグラベル体ＴＡを構成する無線タグラベルＴ−２Ａにおいて、ラベル本体７３と余白部分７４（後述の図１６参照）とを分離するために、タグテープ３０３の剥離紙３０３ａ以外の層（粘着層３０３ｂ及びベースフィルム３０３ｃ）を幅方向に切断するハーフカットを行う。
【０１１９】
その後のステップＳ１５０〜ステップＳ１８０は前述の図４と同様であるので、説明を省略する。
【０１２０】
図１６（ａ）及び図１６（ｂ）は、上述のようにして作成されたタグラベル体ＴＡの外観の一例を表す図であり、図１６（ａ）は上面図、図１６（ｂ）は図１６（ａ）中下方向から見たその側面図であり、前述の図５に対応する図である。図５と同様の部分には同符号を付し説明を省略する。
【０１２１】
これら図１６（ａ）及び図１６（ｂ）において、タグラベル体ＴＡは、操作タグ１の表面に対応する無線タグラベルＴ−１Ａと裏面に対応する無線タグラベルＴ−２Ａとの２つの無線タグラベルを有している。そして、各無線タグラベルＴ−１、Ｔ−２においては、そのラベル本体７２，７４の印字領域Ｓ１，Ｓ２に操作コマンドに対応する印字Ｒ（この例では「戻る」「進む」の文字）がそれぞれ印刷されるとともに、その余白部分７１，７３の印字領域Ｓ３，Ｓ４に無線タグラベルＴ−１Ａ，Ｔ−２Ａが一括作成された関連のある無線タグラベルである旨の印字Ｒ１，Ｒ２（印字識別子。この例では「１／２」「２／２」）が印刷されている。
【０１２２】
上記無線タグラベルＴ−１Ａと無線タグラベルＴ−２Ａとの間には、前述したハーフカット線ＨＣ（第１半切断部位）が形成されており、これによりタグラベル体Ｔは、無線タグラベルＴ−１Ａ，Ｔ−２Ａが上記ハーフカット線ＨＣの位置において剥離紙３０３ａを介し連結された構成となっている。さらに、各無線タグラベルＴ−１Ａ、Ｔ−２Ａにおいては、ハーフカット線ＨＣ１，ＨＣ２（第２半切断部位）がそれぞれ形成されており、これにより各無線タグラベルＴ−１Ａ，Ｔ−２Ａは、ラベル本体７２，７４と余白部分７１，７３が上記ハーフカット線ＨＣ１，ＨＣ２の位置において剥離紙３０３ａを介し連結された構成となっている。
【０１２３】
以上において、制御回路３０２Ａが実行するステップＳ１１３及びステップＳ１４３の制御手順が、特許請求の範囲各項記載の第２印字領域に一括作成された関連のある無線タグラベルであることを示す印字識別子を印字するように印字手段を制御する第２印字制御手段に相当する。
【０１２４】
上記構成の変形例によれば、一括して作成される無線タグラベルＴ−１Ａ，Ｔ−２Ａのそれぞれに備えられた印字領域Ｓ３，Ｓ４に、一括作成された関連のある無線タグラベルであることを示す印字Ｒ１，Ｒ２を印字するので、無線タグラベルＴ−１Ａ，Ｔ−２Ａが同じ操作対象機器（プロジェクタ）に対する操作タグであることを明示することができる。またこれにより、無線タグラベルＴ−１Ａ，Ｔ−２Ａを基材２５０に添付して操作タグ１を作成する際に、異なる無線タグラベルを添付することを回避することができる。
【０１２５】
また、本変形例によれば、各無線タグラベルＴ−１Ａ、Ｔ−２Ａを、ラベル本体７２，７４と余白部分７１，７３とがハーフカット線ＨＣ１，ＨＣ２の位置において剥離紙３０３ａを介し連結された構成とする。これにより、ハーフカット線ＨＣ１，ＨＣ２を用いて余白部分７１，７３を除いたラベル本体７２，７４のみを剥離紙３０３ａから剥がすことができる。その結果、不要な余白部分７１，７３を切除する手間が省け、必要部分であるラベル本体７２，７４のみを使用することができる。
【０１２６】
なお、上記変形例においては、無線タグラベルＴ−１Ａ，Ｔ−２Ａが一括作成された関連のある無線タグラベルである旨の表示として「１／２」「２／２」という数を表す印字Ｒ１，Ｒ２を行うようにしたが、これに限られず、例えば「表」「裏」といったように文字を印字してもよいし、図柄を印字してもよい。
【０１２７】
（２）３つ以上の無線タグラベルを有する操作タグを作成する場合
上記実施形態では、２つのタグラベルから構成されるタグラベル体Ｔを作成し、これら２つのタグラベルを表裏に添付したカード状の操作タグを作成する例を示したが、これに限られない。すなわち、３つ以上のタグラベルから構成されるタグラベル体Ｔを作成し、これらを用いて立体的な形状の操作タグを作成するようにしてもよい。
【０１２８】
図１７（ａ）は、前述した実施形態と同様の手順により、操作タグ１Ｂ（無線タグ構造体。後述の図１８参照）の前面・上面・裏面・下面のそれぞれに対応する無線タグ回路素子Ｔoへの情報書き込み・印字及びタグテープ３０３の切断が完了し形成されたタグラベル体ＴＢの外観の一例を表す上面図であり、図１７（ｂ）は、タグラベル体ＴＢを構成する各無線タグ回路素子Ｔoに記憶された操作コマンドの内容を表す図である。
【０１２９】
図１７（ａ）において、タグラベル体ＴＢは、操作タグ１Ｂの前面に対応する無線タグラベルＴ−１Ｂと、上面に対応する無線タグラベルＴ−２Ｂと、裏面に対応する無線タグラベルＴ−３Ｂと、下面に対応する無線タグラベルＴ−４Ｂとの４つの無線タグラベルを有している。そして、各無線タグラベルＴ−１〜Ｔ−４においては、後述する操作コマンドに対応する情報を書き込み済の無線タグ回路素子Ｔoが、幅方向一方側（図１７中下側）にそれぞれ偏在配置されているとともに、ベースフィルム３０３ｃの表面の印字領域に印字ヘッド３０５によって印字Ｒ（この例では「最初」「戻る」「進む」「最後」の文字）がそれぞれ印刷されている。
【０１３０】
上記無線タグラベルＴ−１ＢとＴ−２Ｂとの間、無線タグラベルＴ−２ＢとＴ−３Ｂとの間、及び無線タグラベルＴ−３ＢとＴ−４Ｂとの間には、前述したハーフカッタ３１１により剥離紙３０３ａ以外の層（ベースフィルム３０３ｃ及び粘着層３０３ｂ）が切断されることによってハーフカット線ＨＣが形成されており、これによりタグラベル体ＴＢは、無線タグラベルＴ−１Ｂ，Ｔ−２Ｂ，Ｔ−３Ｂ，Ｔ−４Ｂが上記ハーフカット線ＨＣの位置において剥離紙３０３ａを介し連結された構成となっている。
【０１３１】
図１７（ｂ）に示すように、タグラベル体ＴＢを構成する無線タグラベルＴ−１Ｂ，Ｔ−２Ｂ，Ｔ−３Ｂ，Ｔ−４Ｂの各無線タグ回路素子Ｔoには、「進む」「最後」「最初」「戻る」の操作コマンドがそれぞれ記憶されている。上記「進む」コマンドは前述の実施形態と同様であり、操作対象であるプロジェクタにおいて複数のスライドから構成される投影画像を次のスライドに移す操作コマンドであり、上記「戻る」コマンドも同様に前のスライドに移す操作コマンドである。また、上記「最後」コマンドは複数のスライドから構成される投影画像を最後のスライドに移す操作コマンドであり、上記「最初」コマンドは複数のスライドから構成される投影画像を先頭のスライドに移す操作コマンドである。
【０１３２】
そして、図１７（ａ）及び図１７（ｂ）に示すように、これらの操作コマンドが、タグラベル体ＴＢを構成する無線タグラベルＴ−１Ｂ，Ｔ−２Ｂ，Ｔ−３Ｂ，Ｔ−４Ｂを基材２５１に添付して操作タグ１Ｂ（後述の図１８参照）を形成した際に、印刷内容と記憶内容とが反対側の面（前面と後面、上面と下面）で一致するように、各無線タグラベルＴ−１Ｂ〜Ｔ−４Ｂの無線タグ回路素子Ｔoに書き込まれている。
【０１３３】
図１８は、上記無線タグラベルＴ−１Ｂ，Ｔ−２Ｂ，Ｔ−３Ｂ，Ｔ−４Ｂを基材２５１に添付することにより作成した操作タグ１Ｂの全体概略構造の一例を表す斜視図である。
【０１３４】
この図１８において、操作タグ１Ｂは略立方体形状に形成されており、略立方体形状の上記基材２５１と、この基材２５１の前面２５１ａに添付され「最初」の文字が印刷された無線タグラベルＴ−１Ｂと、この基材２５１の上面２５１ｂに添付され「戻る」の文字が印刷された無線タグラベルＴ−２Ｂと、この基材２５１の後面２５１ｃに添付され「進む」の文字が印刷された無線タグラベルＴ−３Ｂと、この基材２５１の下面２５１ｄに添付され「戻る」の文字が印刷された無線タグラベルＴ−４Ｂとから構成されている。なお、上記無線タグラベルＴ−１Ｂ〜Ｔ−４Ｂのうち、この図１８には前面２５１ａ及び上面２５１ｂに添付された無線タグラベルＴ−１Ｂ，Ｔ−２Ｂのみ図示している。
【０１３５】
上記構成である本変形例によれば、操作者は操作タグ１Ｂを用いてプロジェクタに対し４つの操作を行うことができ、操作対象に対し多種多様な操作を行うことが可能となる。
【０１３６】
また本変形例によれば、操作タグ１Ｂの前側に添付する無線タグラベルＴ−１Ｂに操作タグ１Ｂの後側に添付する無線タグラベルＴ−３の無線タグ回路素子Ｔoに記憶された操作コマンドに対応したコマンド印字を行うとともに、その他の無線タグラベルＴ−２Ｂ，Ｔ−３Ｂ，Ｔ−４Ｂについても同様の印字を行う。これにより、操作者はこれから実行しようとする操作コマンドに対応する印字を視認しつつ当該操作を行うことができる。
【０１３７】
なお、上記変形例では、操作タグを略立方体形状に構成した場合を一例として説明したが、これに限られず、その他の多面体等の多種多様な立体形状の操作タグを構成することが可能である。また、上記では略立方体形状の基材２５１に対しその４面にのみ無線タグラベルを添付するようにしたが、残りの２つの側面についても無線タグラベルを添付するようにしてもよい。この場合、例えばサイコロと同態様の印字を各無線タグラベルに対して行うとともに各無線タグ回路素子Ｔoに対応する数情報（反対側の面に印字された数情報）を記憶させることで、作成された操作タグを例えば電子サイコロとして用いることが可能である。
【０１３８】
（３）操作対象を限定する場合
上記実施形態では、操作タグによる操作対象を特に限定しなかったが、他の機器に対する操作コマンドによる誤動作を防止するために、操作対象を限定し、その操作対象である場合にのみコマンドを実行するようにしてもよい。なお、以下説明する変形例は、操作対象であるか否かを判定し、そうでない場合にはコマンドを操作対象機器に転送可能な構成としたものである。
【０１３９】
図１９は、本変形例のＰＣ１００Ａの制御回路１０５Ｂ（図示せず）によって実行される制御手順を表すフローチャートであり、前述の図３に対応する図である。図３と同様の手順には同符号を付し説明を省略する。
【０１４０】
この図１９において、ステップＳ１０〜ステップＳ２０は前述の図３と同様である。そして、次のステップＳ３０Ａでは、ステップＳ２０で入力された操作対象機器情報及び操作コマンド情報に基づき、操作タグ１の表面に添付される無線タグ回路素子Ｔoに書き込むための表面用タグデータを作成する。このタグデータには、操作コマンドに対応する情報に加えて、操作コマンドで所定の動作を行わせる操作対象を上記入力された操作対象機器に限定する操作対象機器情報（操作対象限定情報）が含まれる。
【０１４１】
次のステップＳ４０は前述の図３と同様であり、表面用タグデータ中のコマンド情報に基づき、操作タグ１の裏面に添付される無線タグラベルＴに印字される印刷データを作成する。そして次のステップＳ５０Ａでは、上記ステップＳ３０Ａと同様に、ステップＳ２０で入力された操作対象機器情報及び操作コマンド情報に基づき、操作タグ１の裏面に添付される無線タグ回路素子Ｔoに書き込むための裏面用タグデータを作成する。このタグデータには、操作コマンドに対応する情報に加えて、操作対象機器情報（操作対象限定情報）が含まれる。この後のステップＳ６０〜ステップＳ９０は前述の図３と同様であるので説明を省略する。
【０１４２】
図２０は、本変形例において操作タグ１（タグラベル体Ｔ）の作成時にタグラベル作成装置３００の制御回路３０２Ｂ（図示せず）によって実行される制御手順を表すフローチャートであり、前述の図４に対応する図である。図４と同様の手順には同符号を付し説明を省略する。
【０１４３】
この図２０において、ステップ１１０Ａでは、ＰＣ１００からの受信データに基づき、操作タグ１の表面・裏面にそれぞれ対応したタグデータ及び印刷データを取得する。このタグデータには、操作コマンドに対応する情報に加えて、上記操作対象機器情報が含まれる。
【０１４４】
その後、ステップ１２０〜ステップ１８０は前述の図４と同様であり、各無線タグラベルの無線タグ回路素子Ｔoに対しタグデータ（操作コマンドに対応する情報及び操作対象である機器を限定する操作対象機器情報を含む）の書き込みを行うとともに、対応する印字領域に対し印字ヘッド３０５による印字を行い、タグラベル体Ｔの作成を行う。
【０１４５】
図２１は、上記作成されたタグラベル体Ｔを構成する無線タグラベルＴ−１、Ｔ−２において、無線タグ回路素子ＴoのＩＣ回路部１５０の上記メモリ部１５５のデータ構成の一例を表す図である。
【０１４６】
この図２１に示すように、本変形例では、無線タグ回路素子ＴoのＩＣ回路部１５０の上記メモリ部１５５に記憶されるデータは、無線タグ回路素子Ｔoの固有の識別情報であるタグＩＤと、操作対象である機器（ここではプロジェクタ４００）を限定する操作機器情報と、この操作対象機器に対し所定の動作を行わせる操作コマンドに対応する情報と、これらのデータの有効性を示す誤り検出符号ＣＲＣ（Cyclic Redundancy Check）とから構成されている。
【０１４７】
図２２は、本変形例のリーダ２００を含む無線タグ操作システム全体を表すシステム構成図である。
【０１４８】
図２２に示す無線タグ操作システム１１Ａは、前述の実施形態と同様のリーダ２００、ＰＣ１００Ａ、及びプロジェクタ４００以外に、上記ＰＣ１００Ａに有線あるいは無線による通信回線ＮＷを介して接続されたＰＣ１００Ｂ及びプロジェクタ４００Ｂ、ＰＣ１００Ｃ及びプロジェクタ４００Ｃを備えている。
【０１４９】
図２３は、操作タグ１の無線タグ情報の読み取り時にＰＣ１００Ａの上記制御回路１０５Ｂ（図示せず）によって実行される制御手順を表すフローチャートであり、前述の図１３に対応する図である。図１３と同様の手順には同符号を付し説明を省略する。
【０１５０】
図２３において、ステップＳ２１０〜ステップＳ２３０は前述の図１３と同様であり、リーダ２００にタグ読み取り指示信号を送信し、リーダ２００が送信した情報を読み取るための信号に対応して無線タグ回路素子Ｔoからリプライ信号が受信されたか否かを判定する。リプライ信号が受信された場合、当該リプライ信号の中から操作コマンドに対応する情報を取得する。そして、次のステップＳ２３３に移る。
【０１５１】
ステップＳ２３３では、上記リーダ２００から受信されたリプライ信号の中から、上記操作対象を限定する操作対象機器情報を読み出して取得する。なお、この読み出した情報は適宜の記憶手段（例えば制御回路１０５Ｂが有するメモリ等）に一時的に記憶される。
【０１５２】
次のステップＳ２３５では、上記ステップＳ２２３で取得した操作対象機器情報に基づき、操作対象がプロジェクタ４００であるか否か（言い換えればプロジェクタ４００の投影スライドの「進む」「戻る」を処理を実行するのが可能であるか否か）を判定する。操作対象がプロジェクタ４００である場合、その後のステップＳ２４０及びステップＳ２５０で取得した操作コマンドに基づきスライドを移動させてその画像データをプロジェクタ４００に出力する。これにより、プロジェクタ４００では操作コマンドに対応した動作が行われる。
【０１５３】
一方、上記ステップＳ２３５において、操作対象がプロジェクタ４００でない場合には、判定が満たされずにステップＳ２６０に移る。このステップＳ２６０では、上記操作対象機器情報に基づき、操作コマンド情報を対応する機器に送信する。例えば、本変形例において操作対象がプロジェクタ４００Ｂ（又はプロジェクタ４００Ｃ。以下、対応関係同様）である場合には、操作コマンド情報を通信回線ＮＷを介してＰＣ１００Ｂ（又はＰＣ１００Ｃ）に送信する。そして、本フローを終了する。
【０１５４】
以上において、タグラベル作成装置３００の制御回路３０２Ｂにより実行されるステップ１１０Ａの手順は、特許請求の範囲各項記載の操作コマンドで所定の動作を行わせる操作対象を限定する操作対象限定情報を入力する操作対象限定情報入力手段に相当する。
【０１５５】
また、ＰＣ１００Ａの制御回路１０５Ｂにより実行されるステップＳ２３５の手順は、無線タグ情報読み取り手段で読み取った操作コマンドの操作対象に関する判定を行うコマンド判定手段に相当し、ステップＳ２４０及びステップＳ２５０がコマンド判定手段の判定結果に応じて当該操作コマンドに対応する処理を行うコマンド実行手段に相当する。また、ステップＳ２６０は、コマンド判定手段の判定結果に応じ操作コマンドを他の装置に転送するコマンド転送手段に相当する。
【０１５６】
上記変形例によれば、例えば操作対象がプロジェクタ４００Ｂ（又はプロジェクタ４００Ｃ）である操作コマンドがリーダ２００で読み出されＰＣ１００Ａに入力された場合に、プロジェクタ４００で当該操作コマンドを実行しないようにすることができる。したがって、他の機器に対する操作コマンドによる誤動作を防止できる。その結果、無線タグ情報を用いて操作対象に所定の動作を行わせる無線タグ操作システム１１Ａの動作信頼性を向上できる。
【０１５７】
さらに本変形例によれば、例えば操作対象がプロジェクタ４００Ｂ（又はプロジェクタ４００Ｃ）である操作コマンドがリーダ２００で読み出されＰＣ１００Ａに入力された場合に、操作コマンド情報をＰＣ１００Ａから通信回線ＮＷを介してＰＣ１００Ｂ（又はＰＣ１００Ｃ）に転送する。これにより、例えば操作対象が第１会議室のプロジェクタである操作コマンドを、第２会議室のプロジェクタに接続されたＰＣ２に対して出力したような場合であっても、当該操作コマンドをＰＣ２から例えば社内ネットワークを介して第１会議室のプロジェクタに接続されたＰＣ１に転送し、当該ＰＣ１により第１会議室のプロジェクタに対し所望を動作を行わせることが可能となり、無線タグ操作システム１１Ａの動作信頼性をさらに向上できる。
【０１５８】
なお、上記では操作コマンドの操作対象の判定をＰＣ１００Ａ（制御回路１０５Ｂ）で行うようにしたが、これに限られず、当該判定機能をリーダ２００又はプロジェクタ４００で行うようにしてもよい。
【０１５９】
（４）その他の操作コマンド
以上では、操作コマンドの一例としてプロジェクタにおける投影スライドの移動（「進む」「戻る」等）を挙げて説明したが、これに限られない。すなわち、例えば各種機器（プロジェクタやＰＣ等を含む）における電源オン・オフ操作、プロジェクタ等における投影中の（スライドではなく）画像ファイル自体の切り換え、ＰＣ等におけるログイン・ログアウト操作、ユーザ切り換え操作、操作者権限切り替え操作等、多種多様な動作を操作コマンドとして無線タグ回路素子ＴoのＩＣ回路部１５０へ書き込み、操作用の無線タグラベルを一括作成することが可能である。
【０１６０】
（５）コマンド実行まで所定の時間待機させる場合
図２４は、本変形例の無線タグラベルにおいて、無線タグ回路素子ＴoのＩＣ回路部１５０の上記メモリ部１５５のデータ構成の一例を表す図である。
【０１６１】
この図２４に示す例では、無線タグ回路素子ＴoのＩＣ回路部１５０の上記メモリ部１５５に記憶されるデータは、無線タグ回路素子Ｔoの固有の識別情報であるタグＩＤと、操作対象である機器（ここではプロジェクタ４００）に対し所定の動作を行わせる操作コマンドに対応する情報と、操作対象が操作コマンドを実行するまでの待機時間に対応する待機時間情報と、これらのデータの有効性を示す誤り検出符号ＣＲＣ（Cyclic Redundancy Check）とから構成されている。
【０１６２】
図２５は、本変形例において操作タグ１の無線タグ情報の読み取り時にＰＣ１００の制御回路１０５Ｃ（図示せず）によって実行される制御手順を表すフローチャートであり、前述の図１３に対応する図である。図１３と同様の手順には同符号を付し説明を省略する。
【０１６３】
ステップＳ２１０及びステップＳ２２０は前述の図１３と同様であり、リーダ２００の制御回路２０２に対し操作タグ１の無線タグ情報を読み取るためのタグ読み取り指示信号を送信し、上記タグ読み取り指示信号を受信したリーダ２００が操作タグ１の無線タグラベルＴの無線タグ回路素子Ｔoに対し記憶された情報を読み取るための信号を送信し、これに対応して無線タグ回路素子Ｔoから送信（返信）されたリプライ信号が受信されたか否かを判定する。リプライ信号が受信されたら判定が満たされ、次のステップＳ２３０Ａへ移る。
【０１６４】
ステップＳ２３０Ａでは、上記リーダ２００から受信されたリプライ信号の中から、上記操作コマンドに対応する情報及び操作対象が操作コマンドを実行するまでの待機時間に対応する待機時間情報を読み出して取得する。なお、この読み出した情報は適宜の記憶手段（例えば制御回路１０５Ｃが有するメモリ等）に一時的に記憶される。
【０１６５】
次のステップＳ２３５では、上記ステップＳ２３０Ａで操作コマンドを取得した後、同ステップで取得した待機時間情報に対応した時間が経過したか否かを判定する。待機時間を経過するまで本ステップを繰り返し、経過したら判定が満たされて次のステップＳ２４０に移る。
【０１６６】
ステップＳ２４０及びステップＳ２５０は前述の図１３と同様であり、上記ステップＳ２３０で取得した操作コマンドに基づき、記憶手段１０３から対応するスライド（次のスライド又は前のスライド）を読み出し開く。そして、そのスライドの画像データを、通信制御部１０４及び接続手段４を介してプロジェクタ４００に出力する。これにより、プロジェクタ４００では当該スライドの投影が行われる。そして本フローを終了する。
【０１６７】
以上のような構成である本変形例によれば、操作者が操作タグ１を用いてプロジェクタ４００を操作する際、無線タグ回路素子Ｔoに記憶された待機時間情報に対応した待機時間が経過した後に、プロジェクタ４００において操作コマンドが実行される。これにより、例えば操作者がスライドを進めたいときに誤って「戻る」の操作を行った場合等、操作対象に対し誤った操作コマンドを指示してしまった場合に、当該誤った操作コマンドの待機時間の間に、正しい操作コマンドを実行させるように是正することができる。
【０１６８】
（６）その他
また、以上においては、操作対象としてのプロジェクタ４００とは別にリーダ２００を設け、リーダ２００で読み取った操作コマンドに応じてＰＣ１００で操作コマンドに応じた処理を行い、プロジェクタに所定の動作を行わせるようにしたが、これに限られない。例えば、プロジェクタ自体がリーダ機能を併せ持つ構成としてもよい。この場合、操作者がプロジェクタに対し操作タグを近づけて操作コマンドを読み取らせると、当該操作コマンドはプロジェクタからＰＣに送信され、ＰＣで操作コマンドに応じた処理が行われて、プロジェクタが操作コマンドに応じた動作を行う。また、プロジェクタ自体がリーダ機能の他に画像データやアプリケーションファイル等を格納する記憶手段を有する構成としてもよい。この場合には、プロジェクタ単体で無線タグ操作システムを構成する。
【０１６９】
また、以上においては、タグテープに備えられた被印字テープ層に印字を行う方式（貼りあわせを行わないタイプ）であったが、これに限られず、無線タグ回路素子Ｔoを備えたタグテープ３０３とは別のカバーフィルムに印字を行ってこれらを貼り合わせる方式に本発明を適用してもよい。さらに、無線タグ回路素子ＴoのＩＣ回路部１５１から無線タグ情報の読み出し又は書き込みを行うと共に、印字ヘッド３０５によってその無線タグ回路素子Ｔoを識別するための印刷を行うものにも限られない。この印刷は必ずしも行われなくともよく、無線タグ情報の読み出し又は書き込みのみを行うものに対し本発明を適用することもできる。
【０１７０】
さらに、以上は、タグテープがリール部材の周りに巻回されてロールを構成し、タグテープロールホルダ部３１０内にそのロールが配置されてタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベル作成装置３００側のカートリッジホルダに装着して、上記収納部から移送、搬送して印字及び書き込みを行いタグラベルを作成するようにしてもよい。
【０１７１】
さらには上記長尺平紙状あるいは短冊状のテープやシートをタグラベル作成装置３００外より１枚ずつ所定のフィーダ機構によって移送しタグラベル作成装置３００内へ供給する構成も考えられる。この場合も同様の効果を得る。
【０１７２】
また、以上既に述べた以外にも、上記実施形態や各変形例による手法を適宜組み合わせて利用しても良い。
【０１７３】
その他、一々例示はしないが、本発明は、その趣旨を逸脱しない範囲内において、種々の変更が加えられて実施されるものである。
【図面の簡単な説明】
【０１７４】
【図１】本発明のタグラベル作成装置の一実施形態を含む操作タグ生成システム全体を表すシステム構成図である。
【図２】操作タグ生成システム１０を構成するＰＣ及びタグラベル作成装置の詳細機能を表す機能ブロック図である。
【図３】操作機器及び操作コマンドの設定入力時にＰＣの制御回路によって実行される制御手順を表すフローチャートである。
【図４】操作タグの作成時にタグラベル作成装置の制御回路によって実行される制御手順を表すフローチャートである。
【図５】タグラベル体の外観の一例を表す上面図及び側面図である。
【図６】図５（ａ）中VI−VI′断面による横断面図である。
【図７】タグラベル作成装置で作成したタグラベル体を構成する無線タグラベルを用いて操作タグを作成する手順を表した図である。
【図８】操作タグの全体概略構造の一例を表す上面図及び下面図である。
【図９】無線タグラベルに備えられた無線タグ回路素子の機能的構成の一例を表すブロック図である。
【図１０】タグラベル作成装置で作成されたタグラベル体を構成する無線タグラベルにおいて、無線タグ回路素子のＩＣ回路部のメモリ部のデータ構成の一例を表す図である。
【図１１】本発明の無線タグ操作システムの一実施形態の全体構成を表すシステム構成図である。
【図１２】無線タグ操作システムを構成するＰＣ、リーダ、及びプロジェクタの詳細機能を表す機能ブロック図である。
【図１３】操作タグの無線タグ情報の読み取り時にＰＣの制御回路によって実行される制御手順を表すフローチャートである。
【図１４】余白部分に１セットのタグであることを印刷する場合の変形例において、ＰＣの制御回路によって実行される制御手順を表すフローチャートである。
【図１５】余白部分に１セットのタグであることを印刷する場合の変形例において、タグラベル作成装置の制御回路によって実行される制御手順を表すフローチャートである。
【図１６】余白部分に１セットのタグであることを印刷する場合の変形例における、タグラベル体の外観の一例を表す上面図及びその側面図である。
【図１７】３つ以上の無線タグラベルを有する操作タグを作成する場合の変形例における、タグラベル体の外観の一例を表す上面図、及びタグラベル体を構成する各無線タグ回路素子に記憶された操作コマンドの内容を表す図である。
【図１８】３つ以上の無線タグラベルを有する操作タグを作成する場合の変形例における、無線タグラベルを基材に添付することにより作成した操作タグの全体概略構造の一例を表す斜視図である。
【図１９】操作対象を限定する場合の変形例において、ＰＣの制御回路によって実行される制御手順を表すフローチャートである。
【図２０】操作対象を限定する場合の変形例において、操作タグの作成時にタグラベル作成装置の制御回路によって実行される制御手順を表すフローチャートである。
【図２１】操作対象を限定する場合の変形例における、作成されたタグラベル体を構成する無線タグラベルにおいて、無線タグ回路素子のＩＣ回路部のメモリ部のデータ構成の一例を表す図である。
【図２２】操作対象を限定する場合の変形例において、リーダを含む無線タグ操作システム全体を表すシステム構成図である。
【図２３】操作対象を限定する場合の変形例において、操作タグの無線タグ情報の読み取り時にＰＣの制御回路によって実行される制御手順を表すフローチャートである。
【図２４】コマンド実行まで所定の時間待機させる場合の変形例において、無線タグラベルの無線タグ回路素子のＩＣ回路部のメモリ部のデータ構成の一例を表す図である。
【図２５】コマンド実行まで所定の時間待機させる場合の変形例において、操作タグの無線タグ情報の読み取り時にＰＣの制御回路によって実行される制御手順を表すフローチャートである。
【符号の説明】
【０１７５】
１Ｂ            操作タグ（無線タグ構造体）
１１            無線タグ操作システム
１１Ａ          無線タグ操作システム
７１，７３      余白部分
７２，７４      ラベル本体
１０５Ｂ        制御回路（コマンド判定手段、コマンド実行手段、コマンド転送手段）
１５０          ＩＣ回路部
１５１          アンテナ（タグ側アンテナ）
２００          リーダ（無線タグ情報読み取り手段）
３００          タグラベル作成装置
３０１          高周波回路（書き込み手段）
３０２          制御回路（制御手段、操作コマンド入力手段、印字情報入力手段、第１印字制御手段）
３０２Ａ        制御回路（第２印字制御手段）
３０２Ｂ        制御回路（操作対象限定情報入力手段）
３０３          タグテープ（タグ担持体）
３０３ａ        剥離紙（剥離材層）
３０３ｂ        粘着層（貼り付け用粘着剤層）
３０３ｃ        ベースフィルム（基材層）
３０５          印字ヘッド（印字手段）
３０６          アンテナ（通信手段）
３０７          カッタ（切断手段）
３０９          搬送装置（搬送手段）
３１１          ハーフカッタ（半切断手段）
４００          プロジェクタ（操作対象）
ＨＣ            ハーフカット線（第１半切断部位）
ＨＣ１，ＨＣ２  ハーフカット線（第２半切断部位）
Ｒ１，Ｒ２      印字（印字識別子）
Ｓ１，Ｓ２      印字領域（第１印字領域）
Ｓ３，Ｓ４      印字領域（第２印字領域）
Ｔ−１，Ｔ−２  無線タグラベル
Ｔo             無線タグ回路素子
【図１】
2008090462.tif 000003
【図２】
2008090462.tif 000004
【図３】
2008090462.tif 000005
【図４】
2008090462.tif 000006
【図５】
2008090462.tif 000007
【図６】
2008090462.tif 000008
【図７】
2008090462.tif 000009
【図８】
2008090462.tif 000010
【図９】
2008090462.tif 000011
【図１０】
2008090462.tif 000012
【図１１】
2008090462.tif 000013
【図１２】
2008090462.tif 000014
【図１３】
2008090462.tif 000015
【図１４】
2008090462.tif 000016
【図１５】
2008090462.tif 000017
【図１６】
2008090462.tif 000018
【図１７】
2008090462.tif 000019
【図１８】
2008090462.tif 000020
【図１９】
2008090462.tif 000021
【図２０】
2008090462.tif 000022
【図２１】
2008090462.tif 000023
【図２２】
2008090462.tif 000024
【図２３】
2008090462.tif 000025
【図２４】
2008090462.tif 000026
【図２５】
2008090462.tif 000027